【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
フィルムで表面を被覆されるかまたはフィルムで包装された物品であって、
前記物品が、起伏のある表側の面と、ほぼ平坦な裏面と、突出している機能制御部材とを有し、
前記物品が、時計、バンド、皮革または皮革を含有する物品、貴金属製の物品、ライター、メダル、宝石品、携帯電話または通信機器、あるいはそれらの２つ以上の組合せを含み、
前記フィルムが、アイオノマー、エチレンポリマー、エチレンコポリマー、またはそれらの２つ以上の組合せを含むかまたはそれから製造され、
前記フィルムが多層フィルムであり、前記物体と接触している前記フィルムの内層が光沢を抑えた外観特性を有し、
前記フィルムが、前記機能制御部材に手が届くように切り取られ、前記物品の裏面上の前記フィルムが、前記フィルムの取り外しを容易にするための引張り片を含み、
前記フィルムが、（ａ）前記物品の表側の面にわたって連続的に延び、前記表側の面の輪郭に適合するようにスキン包装され、（ｂ）前記裏面にわたって延び、前記裏面上に重なっているかまたは重なっていない縁部を有し、（ｃ）前記物品をあたかも包装されていないように見せることができるように、実質的に見えない状態に保たれ、（ｄ）前記物品を、前記物体の表面に傷を付けたりまたは他の形で破損したりする危険性なく、運んだり触れたりすることができるようにし、そして（ｅ）物体の表面を保護する必要がなくなったら、前記物体から容易に取り外すことができるスキン包装プラスチック材料のぴったりした透明保護フィルムであり、
前記エチレンポリマーが、エチレンから誘導される繰返し単位を含み、
前記エチレンコポリマーが、エチレン酸コポリマーを含み、かつエチレンと１つ以上のコモノマーとから誘導される繰返し単位を含み、
前記コモノマーが、α，β−不飽和Ｃ3〜Ｃ8カルボン酸、Ｃ3〜Ｃ20アルキルエステル、Ｃ1〜Ｃ8アルキルエステル、Ｃ3〜Ｃ20α−オレフィン、またはそれらの２つ以上の組合せを含み、
前記アイオノマーが、前記カルボン酸の約１〜約９９．９％が１つ以上の金属カチオンで中和される前記酸コポリマーから誘導される物品。
【請求項２】
（ａ）物品の表側の面の上およびそれを越えてフィルムを被着する工程と、（ｂ）前記物品を真空スキンパックする工程と、（ｂ１）任意に、前記フィルムを切り取って、所望の寸法の側部を形成する工程と、（ｃ）任意に取り外し可能なシートに真空または圧力をかけることによって、前記フィルムの側部を折って、前記物体を前記フィルムで包装し、前記物品の第２の面上に重なっているかまたは重なっていない縁部を形成する工程とを含む方法であって、
前記物品および前記フィルムが請求項１で特徴付けられる通りであり、
前記真空スキンパック工程が、真空をかけることによって前記表側の面に対して前記フィルムをスキン包装する工程であって、それによって、前記フィルムを前記第１の面の輪郭と適合させ、前記フィルムの側部を前記表側の面から延びたままにしておく工程を含み、
工程（ａ）および工程（ｂ）が、前記物品の裏面および表側の面の形状に概ね適合する支持体上に前記物品の裏面が置かれた状態で行われ、
前記支持体が、中央部分と、長手方向のテーパ付きで、かつ前記中央部分の各側からわずかに下方向に傾斜して延びている上壁と、前記上壁のテーパに適合しており、かつ高さが前記上壁の端部に向かって減少する側壁とを含み、様々な支持体が、様々な形状および寸法を有する物品に使用され、所与の形状および寸法の各物品のために、対応する支持体が使用され、任意に、前記支持体の中央部分の上部が平坦であるかまたは窪んでおり、
前記支持体が、工程（ｂ）の終わりにおいて前記支持体の側壁にわたって延びている前記フィルムの側部を支持するための側壁を有し、
前記支持体から前記物体を取り外した後に前記工程（ｃ）で折り畳み工程が行われる方法。
【請求項３】
前記支持体が、穿孔されるか、または前記物品の裏面に真空をかけることが可能な材料で作製され、真空をかける前に、熱を加えて前記フィルムを軟化させ、そして前記フィルムが多層フィルムであり、前記物品と接触している前記フィルムの内層が光沢を抑えた外観特性を有する請求項２に記載の方法。
【請求項４】
物品を真空スキンパックまたは真空スキン包装するために真空を伝達するための支持体であって、真空源上に置くための平底を有する、真空を伝達する材料でできた本体と、包装される物体を支持するための上部と、真空をかけた後に前記支持体の側壁にわたって延びている前記フィルムの側部を支持するための側壁とを含み、前記側壁の寸法は、前記側壁にわたって延びている前記フィルムの対応する側部が、前記物品を前記支持体から取り外した後に前記物品の周りに包装され得るようにされ、前記支持体の上部が、任意に、前記支持体の平底より大きく、前記側壁がより大きな上部から小さい底部にかけて傾斜しており、前記物品が請求項１または２で特徴付けられる通りである支持体。
【手続補正２】
【補正対象書類名】明細書
【補正対象項目名】００５５
【補正方法】変更
【補正の内容】
【００５５】
上記に開示された方法は、様々な形状および寸法の物品または物体を包装するのに用いることが可能であり、所与の形状および寸法の各物体のために、対応する支持体が使用される。中央部分を含む少なくとも１つの支持体を用いるとき、上壁が、長手方向のテーパ付きで、かつ中央部分の各側からわずかに下方向に傾斜して延び、側壁が、上壁のテーパに適合しており、その高さは上壁の端部に向かって減少する。支持体の中央部分の上部は、平坦であるかまたは窪んでいることがある。上記に開示された工程（ａ）および（ｂ）は、物体の裏面および表側の面の形状に概ね適合する支持体に物品の第２の面または裏面が置かれた状態で行うことが可能であり、支持体は、工程（ｂ）の終わりにおいて支持体の側壁にわたって延びているフィルムの側部を支持するための側壁を有する。必要に応じて、所望の寸法の側部を形成するためにフィルムを切り取ることによる工程（ｂ）が後に続き、支持体から物体を取り外した後に折り畳み工程（ｃ）が行われる。工程（ｃ）は、取り外し可能なシートに真空をかけるかまたは圧力をかけることによって行うことが可能である。
次に、本発明の好ましい態様を示す。
1.  フィルムで表面を被覆されるかまたはフィルムで包装された物品であって、前記物品が、時計、バンド、皮革または皮革を含有する物品、貴金属製の物品、ライター、メダル、宝石品、携帯電話または通信機器、あるいはそれらの２つ以上の組合せを含み、前記フィルムが、アイオノマー、エチレンポリマー、エチレンコポリマー、またはそれらの２つ以上の組合せを含むかまたはそれから製造され、前記エチレンポリマーが、エチレンから誘導される繰返し単位を含み、前記エチレンコポリマーが、エチレン酸コポリマーを含み、かつエチレンと１つ以上のコモノマーとから誘導される繰返し単位を含み、前記コモノマーが、α，β−不飽和Ｃ3〜Ｃ8カルボン酸、Ｃ3〜Ｃ20アルキルエステル、Ｃ1〜Ｃ8アルキルエステル、Ｃ3〜Ｃ20α−オレフィン、またはそれらの２つ以上の組合せを含み、前記アイオノマーが、前記カルボン酸の約１〜約９９．９％が１つ以上の金属カチオンで中和される前記酸コポリマーから誘導される物品。
2.  前記物品が、起伏のある表側の面とほぼ平坦な裏面とを有する、触れられる物体であり、前記物体が、（ａ）前記物品の表側の面にわたって連続的に延び、前記表側の面の輪郭に適合するようにスキン包装され、（ｂ）前記物品の裏面にわたって延び、前記裏面上に重なっているかまたは重なっていない縁部を有し、（ｃ）前記物品をあたかも包装されていないように見せることができるように、実質的に見えない状態に保たれ、（ｄ）前記物品を、前記物体の表面に傷を付けたりまたは他の形で破損したりする危険性なく、運んだり触れたりすることができるようにし、そして（ｅ）物体の表面を保護する必要がなくなったら、前記物体から容易に取り外すことができるスキン包装プラスチック材料のぴったりした透明保護フィルムであるフィルムで包装される上記１に記載の物品。
3.  前記物品が、突出している機能制御部材を有し、前記フィルムが、前記機能制御部材に手が届くように切り取られ、前記物品の裏面上の前記フィルムが、前記フィルムの取り外しを容易にするための引張り片を含む上記１または２に記載の物品。
4.  前記フィルムが多層フィルムであり、前記物体と接触している前記フィルムの内層が光沢を抑えた外観特性を有する上記１、２、または３のいずれか一項に記載の物品。
5.  前記物品が、前記時計、バンド、皮革または皮革を含有する物品、貴金属製の物品、ライター、メダル、宝石品、携帯電話または通信機器、あるいはそれらの２つ以上の組合せである上記１、２、３、または４のいずれか一項に記載の物品。
6.  （ａ）物品の表側の面の上およびそれを越えてフィルムを被着する工程と、（ｂ）前記物品を真空スキンパックする工程と、（ｂ１）任意に、前記フィルムを切り取って、所望の寸法の側部を形成する工程と、（ｃ）任意に取り外し可能なシートに真空または圧力をかけることによって、前記フィルムの側部を折って、前記物体を前記フィルムで包装し、前記物品の第２の面上に重なっているかまたは重なっていない縁部を形成する工程とを含む方法であって、前記物品および前記フィルムが各々上記１、２、３、４、または５のいずれか一項で特徴付けられる通りであり、前記真空スキンパック工程が、真空をかけることによって前記表側の面に対して前記フィルムをスキン包装する工程であって、それによって、前記フィルムを前記第１の面の輪郭と適合させ、前記フィルムの側部を前記表側の面から延びたままにしておく工程を含む方法。
7.  工程（ａ）および工程（ｂ）が、前記物品の裏面および表側の面の形状に概ね適合する支持体上に前記物品の裏面が置かれた状態で行われ、前記支持体が、工程（ｂ）の終わりにおいて前記支持体の側壁にわたって延びている前記フィルムの側部を支持するための側壁を有し、前記支持体から前記物体を取り外した後に前記工程（ｃ）で折り畳み工程が行われる上記６に記載の方法。
8.  前記支持体が、中央部分と、長手方向のテーパ付きで、かつ前記中央部分の各側からわずかに下方向に傾斜して延びている上壁と、前記上壁のテーパに適合しており、かつ高さが前記上壁の端部に向かって減少する側壁とを含み、様々な支持体が、様々な形状および寸法を有する物品に使用され、所与の形状および寸法の各物品のために、対応する支持体が使用され、任意に、前記支持体の中央部分の上部が平坦であるかまたは窪んでいる上記６または７に記載の方法。
9.  前記支持体が、穿孔されるか、または前記物品の裏面に真空をかけることが可能な材料で作製される上記８に記載の方法。
10.  真空をかける前に、熱を加えて前記フィルムを軟化させる上記６、７、８、または９のいずれか一項に記載の方法。
11.  前記フィルムが多層フィルムであり、前記物品と接触している前記フィルムの内層が光沢を抑えた外観特性を有する上記６〜１０のいずれか一項に記載の方法。
12.  物品を真空スキンパックまたは真空スキン包装するために真空を伝達するための支持体であって、真空源上に置くための平底を有する、真空を伝達する材料でできた本体と、包装される物体を支持するための上部と、真空をかけた後に前記支持体の側壁にわたって延びている前記フィルムの側部を支持するための側壁とを含み、前記側壁の寸法は、前記側壁にわたって延びている前記フィルムの対応する側部が、前記物品を前記支持体から取り外した後に前記物品の周りに包装され得るようにされ、前記支持体の上部が、任意に、前記支持体の平底より大きく、前記側壁が大きな上部から小さい底部にかけて傾斜している支持体。